(57)【特許請求の範囲】
【請求項１】
カセットが挿入されるカセットホルダと、前記カセットホルダをシャーシに対して該カセットを着脱する上昇位置と記録再生位置の間で昇降可能に支持するリンク機構と、を備えたカセット装着装置であって、
カセット装着動作に伴って該カセットの前蓋を開放し、自身が弾性変形可能なリッドオープナーと、正常なカセット装着動作時には前記カセットと干渉せず、カセット位置が正しくない状態でカセット装着動作を行ったときには、カセット前面に当接することでカセット装着動作を規制するようにしたストッパ手段とを前記シャーシと一体に構成したことを特徴とするカセット装着装置。
【請求項２】
請求項１に記載のカセット装着装置と、
回転ドラム装置と、
少なくとも前記回転ドラム装置が取り付けられた第１のシャーシと、
少なくとも前記カセット装着装置およびリール台を有し、前記第１のシャーシに対してスライド自在に構成された第２のシャーシと、を具備したことを特徴とする記録または再生装置。
【請求項３】
請求項２に記載の記録または再生装置において、
前記カセットが装填された前記カセットホルダを上昇位置から下降位置へ下降させて、前記第２のシャーシのリール台上に前記カセットを装着した後、前記第２のシャーシを前記第１のシャーシに対して相対的にスライドさせ、前記回転ドラム装置の少なくとも一部を前記カセットの開口部内へ相対的に挿入させて、そのドラム周面にテープを巻き付けるように構成したことを特徴とする記録または再生装置。
【発明の詳細な説明】
【０００１】
【発明の属する技術分野】
本発明は、テープカセットが収納されるカセットホルダを昇降させるカセット装着装置、およびこのカセット装着装置を備えた例えばＶＴＲ等の記録または再生装置に関するものである。
【０００２】
【従来の技術】
この種の記録または再生装置において、テープカセットが収納されるカセットホルダを昇降させるカセット装着装置を備えている。図１１は、カセット１０１のリッド１０２が開かれた状態を示しており、シャーシ上に固定された軸等から成るリッドオープナー１２０が、所定の回動角度だけリッド１０２を開き、これによりカセット１０１内部のテープを引出可能な状態とするのが一般的である。このようなカセットリッド１０２の開き方としては、８ミリＶＴＲ、ＶＨＳ等のテープカセットにおいて広く使用されている。
【０００３】
一方、図１２は、カセット１０１のリッド１０２を動作限界まで開けてしまう例を示している。この場合では、所定の力ｆでリッド１０２を開けるような構成とし、カセット１０１の寸法バラツキを吸収できるようにしておく必要がある。このような使い方の例は、リッド１０２が開くことによって生ずるスペースをできるだけ大きく使用する場合に有効であり、たとえば民生用デジタルＶＴＲのカセットフォーマットにおいてかかる開き方が規定されている。
【０００４】
図１３は、後者の例を示したものである。図において、１２１は板バネにより構成され、シャーシ１１０に固定されたリッドオープナーである。１１１はカセット１０１の背面の位置をガイドするためのガイド部材である。カセット１０１は、カセットホルダの下降動作に伴い、リッドオープナー１２１（実線）の上部で開けはじめられ、記録または再生位置では側面で押し開けられる（二点鎖線）ようになっている。板バネであるリッドオープナー１２１は、リッド１０２を開けきった状態で、所定量撓むことにより押し開け力ｆでリッド１０２を開いた状態に保持する。
【０００５】
つぎに、ガイド板１１１の作用について説明する。図１４は、カセット１０１がカセットホルダに十分に挿入されずにホルダダウンされた場合を示している。このときリッド１０２の部分がリッドオープナー１２１にかからない位置にカセット１０１がある場合、カセット１０１が装填できないようにストッパとして作用すると共に、ある程度の位置ずれはカセット背面をガイドしてやることで正常に装填が行なわれるようにする作用がある。
【０００６】
【発明が解決しようとする課題】
しかしながらリッドオープナー１２１に弾性部材を使用した場合においては、カセット１０１が十分に挿入されていない状態で強制的にホルダダウンされた場合に、そのままではリッドオープナー１２１の破壊等につながる可能性があるという問題があった。
【０００７】
たとえば図１４に示した状態で、カセット１０１が図１５のように後方から押されるとリッドオープナー１２１が撓んで、カセット１０１の背部がガイド部材１１１の頂部を越えてホルダダウン可能な状態になる。この状態からさらに、無理にホルダを下降させると（図１６）、リッドオープナー１２１が弾性変形の範囲を超えて破壊する（所謂、ヘたってしまう）危険がある。また、リッド１０２が開かないままの状態でカセット１０１が記録または再生装置本体へ下降することによって、図示しないテープローディング機構等にダメージが発生するおそれがある。
【０００８】
本発明はかかる実情に鑑み、円滑かつ適正にカセットを装填すると共に、部材の有効保護と円滑作動を保証するカセット装着装置およびこのカセット装着装置を備えた記録または再生装置を提供することを目的とする。
【０００９】
【課題を解決するための手段】
本発明のカセット装着装置は、カセットが挿入されるカセットホルダと、前記カセットホルダをシャーシに対して該カセットを着脱する上昇位置と記録再生位置の間で昇降可能に支持するリンク機構と、を備えたカセット装着装置であって、カセット装着動作に伴って該カセットの前蓋を開放し、自身が弾性変形可能なリッドオープナーと、正常なカセット装着動作時には前記カセットと干渉せず、カセット位置が正しくない状態でカセット装着動作を行ったときには、カセット前面に当接することでカセット装着動作を規制するようにしたストッパ手段とを前記シャーシと一体に構成したことを特徴とする。
【００１３】
また、記録または再生装置は、上記いずれかのカセット装着装置と、回転ドラム装置と、少なくとも前記回転ドラム装置が取り付けられた第１のシャーシと、少なくとも前記カセット装着装置およびリール台を有し、前記第１のシャーシに対してスライド自在に構成された第２のシャーシと、を具備したものである。
【００１４】
また、記録または再生装置において、カセットが装填されたカセットホルダを上昇位置から下降位置へ下降させて、前記第２のシャーシのリール台上に前記カセットを装着した後、第２のシャーシを前記第１のシャーシに対して相対的にスライドさせ、前記回転ドラム装置の少なくとも一部を前記カセットの開口部内へ相対的に挿入させて、そのドラム周面にテープを巻き付けるように構成したことを特徴とする。
【００１５】
【作用】
本発明によれば、可動タイプのリッドオープナーの部分に、通常のカセット挿入時にはカセットに触れず、カセット挿入が不完全な状態においてはカセット前蓋前部に当接して挿入を妨げる部材を設ける。これにより異常なカセット装填を防止し、リッドオープナーや他の構成部品を破壊しないようにする。
【００１６】
【発明の実施の形態】
以下、図面に基づき、本発明によるカセット装着装置およびこれを備えた記録または再生装置の好適な実施の形態を説明する。
ここで、図１〜図３は、本発明に係るカセット装着装置を備えたＶＴＲのそれぞれ側面図、図４はカセット装着装置の平面図、図５はそのカセット装着装置の一方の側面図であり、カセット挿入位置（ポップアップ状態）を示す図、図６および図７は下降動作途中のカセット装着装置の側面図であり、図６はカセットの挿入が不十分な場合を、図７は正常な位置の場合を示している。図８は図５中の矢印ｚ方向から見たときの側面図、図９は連結部材と可動基板の取付部の概略図、図１０はカセット装着装置をシャーシに固定する固定部材を取り付けたときの断面図である。
【００１７】
図４および図５において、１はカセット、２はカセット１が挿入されるカセットホルダ、３はリンクを構成するレバー、４はシャーシにホルダ２を回動自在に支持し、リンクを構成するレバーの役目をする連結部材、５はロックレバー、６はレバー３およびロックレバ一５を回動自在に支持する、カセットホルダ２の側面に設けられた軸である。７は連結部材４に設けられたカム溝であり、ホルダ２の側面に設けられた軸８がこのカム溝７にスライド自在に係合している。９は連結部材４に設けられレバー３を回動自在に支持する回転中心である。１０はレバー３に設けられた軸であり、可動基板１１に設けられたカム溝１２にスライド自在に係合している。
【００１８】
図１〜図３において、１１は図４および図５の場合と同様にサブシャーシである可動基板である。１３は可動基板１１に設けられ、カセット装着装置の連結部材４の回動を支持する孔である。１４はレバー３と連結部材４の間に張架されたホルダ２を上昇位置に付勢するバネである。１５は可動基板１１に設けられたギアである。ギア１５はカセット装着装置に取り付けられたダンパ１６と噛合し、このダンパ１６に内蔵されたオイルの粘性抵抗によってホルダ上昇時の負荷を与え、上昇動作を滑らかにするようになっている。
【００１９】
図４および図５においてまた、１７はロックレバーバネであり、図５のようにロックレバー５を時計回りの方向へ回動付勢している。ロックレバーバネ１７は、ホルダ２の上板から下方へ伸びる立ち曲げ部に取り付けられている。この部分は、カセット下降時にカセット１の前蓋が開くことで生じるデッドスペースである。可動基板１１にはロック部材１８とロック検出スイツチ１９（図１参照）が設けられており、ロックレバー５の被ロック部５ａは下降位置においてロック部材１８に係合可能であると共に、ロック検出スイッチ１９を押圧可能である。
【００２０】
ここで図９に示すように、連結部材４の側面に形成された回動中心である円柱状の突起部９は、その外周部が可動基板１１に設けられた孔１３に係合し、連結部材４の回動を支持する。すなわちカセット装着装置の上昇、下降動作を支持するものである。
【００２１】
図１０は、連結部材４と可動基板１１を固定する固定部材２１を取り付けたときの断面図である。固定部材２１は樹脂製の部品であり、図１０（ａ）のように矢印Ａ方向からの挿入に対してその弾性を利用して、矢印Ｂ方向に広がりながら連結部材に取り付けられる。そして、可動基板１１に対し一体となって回動することができる。また、図１０（ｂ）のように固定部材２１の支持部２１ａで連結部材４と可動基板１１を挟持し、カセット装着装置を可動基板１１に回動支持し、はずれないように固定することができる。
【００２２】
つぎに、図１〜図３に示すように可動基板１１には、カセット１が装着されるリール台２２等が設けられている。この可動基板１１はメインシャーシである固定基板２３上に前後方向ヘスライド自在に配置されている。固定基板２３上には回転ドラム装置２４が傾斜して配置されている。
【００２３】
上述の構成において、図１に示すようにホルダ２内にカセット１を挿入して該ホルダ２を上方から押圧すると、レバー３に設けられた軸１０とホルダ２の側面に設けられた軸８が、可動基板１１に設けられたカム溝１２と連結部材４に設けられたカム溝７に沿ってそれぞれ移動しながら、ホルダ２が下降していく。
【００２４】
ホルダ２の下降に伴い、ロックレバー５の被ロック部５ａが可動基板１１のロック部材１８に当接し、ロックレバー５が反時計回り方向に回動されると共に、バネ１７がチャージされる。そしてロック部材１８の角部を過ぎたところで、そのチャージが開放され、ロックレバー５が時計回り方向に回動し、披ロック部５ａがロック部材１８に係合する。これと同時にロックレバー５がロック検出スイッチ１９を押圧する。
【００２５】
このようにすることで、図２に示すようにホルダ２がその下降位置でロックされる。この状態でホルダ２内のカセット１は可動基板１１のリール台２２上に装着されると共に、そのカセット１がホルダ２の上板のカセット押えバネ２ａ（図４参照）によって押圧される。
【００２６】
つぎに、ロック検出スイッチ１９のＯＮによって、図３に示すように可動基板１１が固定基板２３に対して相対的に回転ドラム装置２４の方向へスライドし、回転ドラム装置２４の一部が相対的にカセット１の開蓋された開口部１ｂへ挿入される。このドラム挿入とテープガイド等によるカセット１からのテープの引出し（何れも図示せず）とによって、テープが回転ドラム装置２４の周面に螺旋状に巻き付けられると共に所定のテープパスが形成される。そしてテープが走行して、回転ヘッド等によってテープに対する所望の記録または再生が行われる。
【００２７】
つぎに、エジェクト指令が出されると、図３から図２に示すように、可動基板１１が回転ドラム装置２４から離間する方向ヘスライドされると共に、テープがアンローディングされる。そして図２においてロックレバー５が時計回り方向に回動してロックが解除されると、図２から図１に示すようにバネ１４の力によりレバー３と連結部材４が前述の場合とは逆に動作する。このときホルダ２が上昇して、カセット１がホルダ２内から取出し可能となる。
【００２８】
ここで、カセット１の前蓋（リッド）１ａの開放動作について説明する。
図６および図７において、２５は板バネから成るリッドオープナー、２０は可動基板１１に一体に設けられた本発明によるカセットストッパである。このカセットストッパ２０は、図５および図８からもわかるようにカセット１を装填するポップアップ状態では、カセット１の前蓋１ａの開口部１ｂの中に入り込むように設計され、カセット１の挿入を何ら妨げるものではない。さらに、カセット１がダウンする過程においても、リッドオープナー２５の作用により前蓋１ａが上方へ開いていくので、干渉することはない（図７）。
【００２９】
また、図５に示したようにカセット１がホルダ２に正しく奥まで挿入された場合には、ホルダ２に一体に設けられたカセット１の前蓋ロック解除部２ａは、カセット１に対する前蓋ロックレバー１ｃを時計回りの方向に回動させ、前蓋１ａのロックを解除する。
【００３０】
カセット１が十分にホルダ２に挿入されていない状態でダウンされたときには、図６に示すようにカセット１の前蓋１ａの前板部１ｄはリッドオープナー２５ならびにカセットストッパ２０にかからずに下降しようとする。ところが、カセット１の後端部１ｅは連結部材４の上端部４ａに干渉し、これ以上ダウンできないように規制される。さらに矢印方向ヘカセツト１を押し込もうとしても、カセットストッパ２０が前板部１ｄに突き当たることによって不可能となり、カセット１の前蓋１ａが閉じたままの不正な装填を防止することができる。
【００３１】
このように本発明を適用することで、カセット１の前蓋１ａを作動角度限度まで開放し、これにより生ずるスペースを最大限に利用することが可能となる。
【００３２】
なお、上記実施形態において本発明は可動基板１１と一体にカセットストッパ２０を構成し、部品点数削減を図る例を説明したが、他の構造部品として形成することも可能である。またリッドオープナー２５についても、コイルバネ等から成る複数の機構部品によって置き換えても、同様な作用効果を得ることができるのは勿論である。
【００３３】
【発明の効果】
以上説明したように本発明によれば、この種の記録または再生装置において、カセットの挿入が不十分な場合にのみカセットの前蓋に干渉してカセットの装填を防止するように作用するカセットストッパを設けることにより、リッドオープナーやテープローディング機構の破損を確実に防止する効果がある。さらに、カセット前蓋の開放により生ずるスペースを最大限に利用することを可能とし、装置のさらなる小型化を実現する効果がある。
【図面の簡単な説明】
【図１】本発明の実施形態におけるカセット装着装置を備えたＶＴＲのホルダ上昇位置での側面図である。
【図２】本発明の実施形態におけるＶＴＲのホルダ下降位置での側面図である。
【図３】本発明の実施形態におけるＶＴＲの可動基板が移動した記録または再生状態での側面図である。
【図４】本発明の実施形態におけるカセット装着装置の平面図である。
【図５】本発明の実施形態におけるカセット装着装置の一方の側面図である。
【図６】本発明の実施形態においてカセットが正しく挿入されないときのカセット装着装置の下降動作途中での一方の側面図である。
【図７】本発明の実施形態においてカセットが正しく挿入されたときのカセット装着装置の下降動作途中での一方の側面図である。
【図８】図５のＺ矢印方向から見た側面図である。
【図９】本発明の実施形態における連結部材と可動基板の固定部の概略図である。
【図１０】本発明の実施形態における連結部材と可動基板の固定部の断面図である。
【図１１】従来のカセット装着装置におけるカセット前蓋が開いた態様を示す側面図である。
【図１２】従来のカセット装着装置におけるカセット前蓋が開いた別の態様を示す側面図である。
【図１３】従来のカセット装着装置におけるカセット前蓋の開放動作を示す図である。
【図１４】従来のカセット装着装置におけるカセット挿入が不十分な状態でカセットダウンが行なわれた状態を示す図である。
【図１５】図１４の状態からカセットが後方から押し込まれた状態を示す図である。
【図１６】図１５の状態からカセットダウンをした状態を示す図である。
【符号の説明】
１    カセット
２    ホルダ
３    レバー
４    連結部材
５    ロックレバー
６    軸
７    カム溝
８    軸
９    回転中心
１１    可動基板
１２    カム溝
１３    孔
１４    バネ
１５    ギア
１６    ダンパ
１７    ロックレバーバネ
１８    ロック部材
１９    ロック検出スイッチ
２０    カセットストッパ
２１    固定部材
２２    リール台
２３    固定基板
２４    回転ドラム装置
２５    リッドオープナー
【図１】
0003957826.tif 000002
【図２】
0003957826.tif 000003
【図３】
0003957826.tif 000004
【図４】
0003957826.tif 000005
【図５】
0003957826.tif 000006
【図６】
0003957826.tif 000007
【図７】
0003957826.tif 000008
【図８】
0003957826.tif 000009
【図９】
0003957826.tif 000010
【図１０】
0003957826.tif 000011
【図１１】
0003957826.tif 000012
【図１２】
0003957826.tif 000013
【図１３】
0003957826.tif 000014
【図１４】
0003957826.tif 000015
【図１５】
0003957826.tif 000016
【図１６】
0003957826.tif 000017